【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
複数の外部装置と接続された画像処理装置において、
前記複数の外部装置それぞれが有する機能の情報を取得する機能情報取得手段と、
前記画像処理装置の機能又は前記取得された情報が示す機能を表示する機能表示手段と、
前記機能表示手段によって表示された機能に基づいて選択された少なくとも１つの実行すべき機能を入力する機能入力手段と、
前記複数の外部装置の優先度を設定する設定手段と、
前記画像処理装置が前記機能入力手段によって入力された機能を実行できない場合、前記複数の外部装置の中から前記設定手段によって設定された優先度の高い順に対象装置を選択し、当該対象装置が前記機能入力手段によって入力された機能を実行できるか否かを判断することによって、当該機能を実行可能な装置を検索する検索手段とを備えることを特徴とする画像処理装置。
【請求項２】
前記検索された実行可能な装置に前記入力された少なくとも１つの実行すべき機能の実行を指示する実行指示手段とを備えることを特徴とする請求項１記載の画像処理装置。
【請求項３】
前記検索手段による検索の結果、前記実行可能な装置がないときは、その旨の警告を行う警告手段を備えることを特徴とする請求項１又は２記載の画像処理装置。
【請求項４】
前記入力された少なくとも１つの実行すべき機能を実行する装置を入力する装置入力手段と、前記入力された装置が前記入力された少なくとも１つの実行すべき機能を実行することができるか否かを判別する判別手段とを備えることを特徴とする請求項１乃至３のいずれか１項に記載の画像処理装置。
【請求項５】
前記装置入力手段は、前記複数の外部装置のうち予め指定した条件に一致する外部装置を、前記設定手段によって設定された優先度に従って表示する優先度表示手段を備えることを特徴とする請求項４記載の画像処理装置。
【請求項６】
前記装置入力手段は、前記外部装置のうち予め指定した条件に一致する外部装置を、当該条件に従って分類して表示する分類表示手段を備えることを特徴とする請求項４記載の画像処理装置。
【請求項７】
前記画像処理装置の機能の情報を前記複数の外部装置に公開する公開手段と、前記複数の外部装置のいずれかから前記機能の実行指示を受け付ける受付手段とを備えることを特徴とする請求項１乃至６のいずれか１項に記載の画像処理装置。
【請求項８】
認証情報を取得して認証を行う認証手段を備えることを特徴とする請求項１乃至７のいずれか１項に記載の画像処理装置。
【請求項９】
前記認証手段による認証結果に基づいて、前記機能の実行の制限を行う制限手段を備えることを特徴とする請求項８記載の画像処理装置。
【請求項１０】
前記認証手段による認証結果に基づいて、課金を行う課金手段を備えることを特徴とする請求項８又は９記載の画像処理装置。
【請求項１１】
複数の外部装置と接続された画像処理装置の制御方法において、
前記複数の外部装置それぞれが有する機能の情報を取得する機能情報取得ステップと、
前記画像処理装置の機能又は前記取得された情報が示す機能を表示する機能表示手段と、
前記機能表示ステップで表示された機能に基づいて選択された少なくとも１つの実行すべき機能を入力する機能入力ステップと、
前記複数の外部装置の優先度を設定する設定ステップと、
前記画像処理装置が前記機能入力ステップで入力された機能を実行できない場合、前記複数の外部装置の中から前記設定ステップで設定された優先度の高い順に対象装置を選択し、当該対象装置が前記機能入力ステップで入力された機能を実行できるか否かを判断することによって、当該機能を実行可能な装置を検索する検索ステップとを備えることを特徴とする制御装置。
【請求項１２】
前記検索された実行可能な装置に前記入力された少なくとも１つの実行すべき機能の実行を指示する実行指示ステップとを備えることを特徴とする請求項１１記載の制御装置。
【請求項１３】
前記検索ステップにおける検索の結果、前記実行可能な装置がないときは、その旨の警告を行う警告ステップを備えることを特徴とする請求項１１又は１２記載の制御装置。
【請求項１４】
前記入力された少なくとも１つの実行すべき機能を実行する装置を入力する装置入力ステップと、前記入力された装置が前記入力された少なくとも１つの実行すべき機能を実行することができるか否かを判別する判別ステップとを備えることを特徴とする請求項１１乃至１３のいずれか１項に記載の制御装置。
【請求項１５】
前記装置入力ステップは、前記複数の外部装置のうち予め指定した条件に一致する外部装置を、前記設定ステップで設定された優先度に従って表示する優先度表示手段を備えることを特徴とする請求項１４記載の制御装置。
【請求項１６】
前記装置入力ステップは、前記外部装置のうち予め指定した条件に一致する外部装置を、当該条件に従って分類して表示する分類表示ステップを備えることを特徴とする請求項４記載の制御装置。
【請求項１７】
前記画像処理装置の機能の情報を前記複数の外部装置に公開する公開ステップと、前記複数の外部装置のいずれかから前記機能の実行指示を受け付ける受付ステップとを備えることを特徴とする請求項１１乃至１６のいずれか１項に記載の制御装置。
【請求項１８】
認証情報を取得して認証を行う認証ステップを備えることを特徴とする請求項１１乃至１７のいずれか１項に記載の制御装置。
【請求項１９】
前記認証ステップにおける認証結果に基づいて、前記機能の実行の制限を行う制限ステップを備えることを特徴とする請求項８記載の制御装置。
【請求項２０】
前記認証ステップにおける認証結果に基づいて、課金を行う課金手段を備えることを特徴とする請求項１８又は１９記載の制御装置。
【請求項２１】
複数の外部装置と接続された画像処理装置の制御方法をコンピュータに実行させるプログラムにおいて、
前記画像処理装置の制御方法は、
前記複数の外部装置それぞれが有する機能の情報を取得する機能情報取得ステップと、
前記画像処理装置の機能又は前記取得された情報が示す機能を表示する機能表示手段と、
前記機能表示ステップで表示された機能に基づいて選択された少なくとも１つの実行すべき機能を入力する機能入力ステップと、
前記複数の外部装置の優先度を設定する設定ステップと、
前記画像処理装置が前記機能入力ステップで入力された機能を実行できない場合、前記複数の外部装置の中から前記設定ステップで設定された優先度の高い順に対象装置を選択し、当該対象装置が前記機能入力ステップで入力された機能を実行できるか否かを判断することによって、当該機能を実行可能な装置を検索する検索ステップとを備えることを特徴とするプログラム。
【手続補正２】
【補正対象書類名】明細書
【補正対象項目名】０００１
【補正方法】変更
【補正の内容】
【０００１】
本発明は、画像処理装置、及びその制御方法、並びにプログラムに関し、特に、使用したい機能を実行することができる装置を選択しやすい画像処理装置、及びその制御方法、並びにプログラムに関する。
【手続補正３】
【補正対象書類名】明細書
【補正対象項目名】０００５
【補正方法】変更
【補正の内容】
【０００５】
本発明の目的は、使用したい機能を実行することができる装置を選択しやすい画像処理装置、及びその制御方法、並びにプログラムを提供することにある。
【手続補正４】
【補正対象書類名】明細書
【補正対象項目名】００１６
【補正方法】変更
【補正の内容】
【００１６】
上記目的を達成するために、請求項１記載の画像処理装置は、複数の外部装置と接続された画像処理装置において、前記複数の外部装置それぞれが有する機能の情報を取得する機能情報取得手段と、前記画像処理装置の機能又は前記取得された情報が示す機能を表示する機能表示手段と、前記機能表示手段によって表示された機能に基づいて選択された少なくとも１つの実行すべき機能を入力する機能入力手段と、前記複数の外部装置の優先度を設定する設定手段と、前記画像処理装置が前記機能入力手段によって入力された機能を実行できない場合、前記複数の外部装置の中から前記設定手段によって設定された優先度の高い順に対象装置を選択し、当該対象装置が前記機能入力手段によって入力された機能を実行できるか否かを判断することによって、当該機能を実行可能な装置を検索する検索手段とを備えることを特徴とする。
【手続補正５】
【補正対象書類名】明細書
【補正対象項目名】００１７
【補正方法】変更
【補正の内容】
【００１７】
上記目的を達成するために、請求項１１記載の画像処理装置の制御方法は、複数の外部装置と接続された画像処理装置の制御方法において、前記複数の外部装置それぞれが有する機能の情報を取得する機能情報取得ステップと、前記画像処理装置の機能又は前記取得された情報が示す機能を表示する機能表示手段と、前記機能表示ステップで表示された機能に基づいて選択された少なくとも１つの実行すべき機能を入力する機能入力ステップと、前記複数の外部装置の優先度を設定する設定ステップと、前記画像処理装置が前記機能入力ステップで入力された機能を実行できない場合、前記複数の外部装置の中から前記設定ステップで設定された優先度の高い順に対象装置を選択し、当該対象装置が前記機能入力ステップで入力された機能を実行できるか否かを判断することによって、当該機能を実行可能な装置を検索する検索ステップとを備えることを特徴とする。
【手続補正６】
【補正対象書類名】明細書
【補正対象項目名】００１８
【補正方法】変更
【補正の内容】
【００１８】
上記目的を達成するために、請求項２１記載のプログラムは、複数の外部装置と接続された画像処理装置の制御方法をコンピュータに実行させるプログラムにおいて、前記画像処理装置の制御方法は、前記複数の外部装置それぞれが有する機能の情報を取得する機能情報取得ステップと、前記画像処理装置の機能又は前記取得された情報が示す機能を表示する機能表示手段と、前記機能表示ステップで表示された機能に基づいて選択された少なくとも１つの実行すべき機能を入力する機能入力ステップと、前記複数の外部装置の優先度を設定する設定ステップと、前記画像処理装置が前記機能入力ステップで入力された機能を実行できない場合、前記複数の外部装置の中から前記設定ステップで設定された優先度の高い順に対象装置を選択し、当該対象装置が前記機能入力ステップで入力された機能を実行できるか否かを判断することによって、当該機能を実行可能な装置を検索する検索ステップとを備えることを特徴とする。